(57)【要約】【課題】  蓋の閉塞時に飲料容器などの置き場所を確保でき、灰皿を使用する際は各台係数機と干渉することなく蓋を全開でき、さらに蓋を既設の灰皿に後付けできるようにする。【解決手段】  蓋６は、灰皿３の開口より大径で上面を平坦に形成する。その蓋６の基部を軸が縦向きのヒンジ７で棚台２に対して枢着する。この構成により、蓋６の閉塞時は飲料容器Ａを置くことができ、各台係数機の設置で棚台が狭くなっても置き場所を確保できる。また、蓋６を横方向に回動させるから、上方に各台係数機の搬出ライン４ａが配管されていても障害とならなず、灰皿３の使い勝手を低下させない。さらに、蓋６のヒンジ７を棚台２に対して取り付けるから、既設の灰皿３に後付けでき、低コストで実施できる。【選択図】  図３
2012170572.tif 000002
【特許請求の範囲】
【請求項１】
複数隣設された各遊技機の正面の棚台に設けられたタバコの灰皿の蓋の開閉構造であって、その蓋は上面が平坦な形状で、その蓋の基部を棚台に対して軸を縦向きにして枢着し、その蓋を横方向に回動させて開閉できるようにしたことを特徴とする、遊技機用灰皿蓋の開閉構造。
【請求項２】
蓋が遊技機側及び手前側いずれの方向にも回動できるように枢着した、請求項１記載の遊技機用灰皿蓋の開閉構造。
【請求項３】
蓋の外周に飲料容器の支持枠を設けた、請求項１又は２記載の遊技機用灰皿蓋の開閉構造。
【請求項４】
複数隣設された各遊技機の正面の棚台に設けられたタバコの灰皿の蓋の開閉構造であって、その蓋は上面が平坦な形状で、その蓋を灰皿の上面に移動可能に配置し、その蓋を水平方向に進退可能に支持するガイド部材を棚台に対して取り付けたことを特徴とする、遊技機用灰皿蓋の開閉構造。
【請求項５】
灰皿の底面を開口し、その灰皿の開口から落下した吸殻を回収する吸殻回収装置を棚台の下方位置に設けた、請求項１〜４いずれか記載の遊技機用灰皿蓋の開閉構造。
【発明の詳細な説明】
【技術分野】
【０００１】
本発明は、遊技機の正面の棚台に設けられた灰皿の蓋の開閉構造に関する。
【背景技術】
【０００２】
近年では、遊技場の店員の省力化などのために、既設の遊技機に各台計数機を設置することが行われている。各台計数機は、専用の玉箱を遊技機の棚台に配置し、計数後の玉を搬出する搬出ラインを玉箱の側面から伸びるように配管している。しかし、これらの後付けの設備で棚台が狭くなり、飲料容器などを置く場所が制限されることとなっている。
【０００３】
一方、図１０に示すように、灰皿１３に上面が平坦な蓋１６を上下方向に開閉可能に枢着した跳上げ式の蓋付き灰皿が特許文献１，２で公知であり、閉塞した蓋１６の上面に飲料容器などの置き場所を確保することができる。図中、１１は遊技機、１２は棚台、１４は玉箱、１４ａは搬出ライン、１５は吸殻回収装置、Ｔは吸殻である。
【０００４】
この技術を前記の各台計数機の設置時に利用すると、開放時に蓋１６が搬出ライン１４ａに接触して全開できないことがあった。また、蓋１６は灰皿１３に枢着する構造であるから、蓋１６を既設の灰皿に後付けすることができず、灰皿そのものを交換する必要があった。
【先行技術文献】
【特許文献】
【０００５】
【特許文献１】特開平８−１５５１２９号公報
【特許文献２】実用新案登録第３０９１８９３号公報
【発明の概要】
【発明が解決しようとする課題】
【０００６】
本発明が解決しようとする課題は、従来のこれらの問題点を解消し、蓋の閉塞時に飲料容器などの置き場所を確保でき、灰皿を使用する際は各台係数機と干渉することなく蓋を全開でき、さらに蓋を既設の灰皿に後付けできるようにすることにある。
【課題を解決するための手段】
【０００７】
かかる課題を解決した本発明の構成は、
１）  複数隣設された各遊技機の正面の棚台に設けられたタバコの灰皿の蓋の開閉構造であって、その蓋は上面が平坦な形状で、その蓋の基部を棚台に対して軸を縦向きにして枢着し、その蓋を横方向に回動させて開閉できるようにしたことを特徴とする、遊技機用灰皿蓋の開閉構造
２）  蓋が遊技機側及び手前側いずれの方向にも回動できるように枢着した、前記１）記載の遊技機用灰皿蓋の開閉構造
３）  蓋の外周に飲料容器の支持枠を設けた、前記１）又は２）記載の遊技機用灰皿蓋の開閉構造
４）  複数隣設された各遊技機の正面の棚台に設けられたタバコの灰皿の蓋の開閉構造であって、その蓋は上面が平坦な形状で、その蓋を灰皿の上面に移動可能に配置し、その蓋を水平方向に進退可能に支持するガイド部材を棚台に対して取り付けたことを特徴とする、遊技機用灰皿蓋の開閉構造
５）  灰皿の底面を開口し、その灰皿の開口から落下した吸殻を回収する吸殻回収装置を棚台の下方位置に設けた、前記１）〜４）いずれか記載の遊技機用灰皿蓋の開閉構造
にある。
【発明の効果】
【０００８】
本発明によれば、以下の効果を奏する。
１）蓋の上面が平坦であるから、閉塞時は飲料容器などを置くことができ、各台係数機の設置で棚台が狭くなっても置き場所を確保できる。
２）蓋を横方向に回動又は水平方向に進退させて開閉するから、上方に各台係数機の搬出ラインが配管されていても障害とならなず、灰皿の使い勝手を低下させることがない。
３）蓋の軸又はガイド部材を棚台に対して取り付けるから、既設の灰皿に後付けでき、低コストで実施できる。
【図面の簡単な説明】
【０００９】
【図１】実施例１の蓋の取り付け状態を示す斜視図である。
【図２】実施例１の蓋の分解斜視図である。
【図３】実施例１の蓋の使用状態を示す説明図である。
【図４】実施例１の蓋の取り付け向きを示す平面図である。
【図５】実施例１の他の例の蓋の分解斜視図である。
【図６】実施例１の他の例の蓋の回動方向を示す平面図である。
【図７】実施例１の他の例の蓋の斜視図である。
【図８】実施例２の蓋の分解斜視図である。
【図９】実施例２の蓋の使用状態を示す説明図である。
【図１０】従来の蓋の使用状態を示す説明図である。
【発明を実施するための形態】
【００１０】
以下、本発明を実施するための形態を各実施例と図面に基づいて具体的に説明する。
【実施例】
【００１１】
（実施例１）図１〜４に示す実施例１はスイング式の例である。図１は実施例１の蓋の取り付け状態を示す斜視図、図２は実施例１の蓋の分解斜視図、図３は実施例１の蓋の使用状態を示す説明図、図４は実施例１の蓋の取り付け向きを示す平面図である。図中、１は遊技機、２は棚台、３は灰皿、４は玉箱、４ａは搬出ライン、５は吸殻回収装置、６は蓋、７はヒンジ、７ａはベース板、７ｂは固定板、７ｃはネジ（軸）、７ｄは取付ネジ、Ａは飲料容器、Ｔは吸殻である。
【００１２】
図１，２に示すように、複数隣設された各遊技機１の正面に有する棚台２に底面が開口された灰皿３が各台毎に埋設されている。棚台２には各台係数機の玉箱４が各台毎に配置され、その玉箱４の左側面から伸びる搬出ライン４ａが灰皿３の付近を通過するように配管されている。棚台２の下方位置には灰皿３の開口から落下した吸殻Ｔを回収する吸殻回収装置５が設置されている。
【００１３】
蓋６は灰皿３より大径の円形板で、上面は平坦に形成されている。ヒンジ７は、ベース板７ａと、ベース板７ａを棚台２に固定して蓋６を枢着する固定板７ｂとで構成され、軸となるネジ７ｃと取付ネジ７ｄで蓋６とともに棚台２に対してネジ止めしている。この構成により、蓋６を横向きの姿勢で遊技機１側の方向に回動できるようになっている。また、ヒンジ７は棚台２に対して取り付けるから、既設の灰皿３はそのまま使用できる。
【００１４】
飲料容器Ａを置く場合は、図３（ａ）に示すように、蓋６を閉塞させてその上面に置く。よって、玉箱４や搬出ライン４ａで棚台２が狭くなっていても、飲料容器Ａの置き場所を確保できる。また、喫煙しない場合は蓋６を閉塞しておくことで、吸殻回収装置５を通じて灰皿３の開口から立ち昇る煙を遮断できる。喫煙する場合は、図３（ｂ）に示すように、蓋６を開放させて灰皿３を使用する。このとき、蓋６は横方向に回動するから、上方の搬出ライン４ａと干渉することがなく、灰皿３の使い勝手を低下させない。また、開放した蓋６の上面に飲料容器Ａを置くこともできる。
【００１５】
また、図４（ａ），（ｂ）に示すように、ヒンジ７の取り付け向きを変えることで、蓋６の回動方向を任意に選択できる。特に、図４（ｂ）に示すように、蓋６を手前側に回動できる向きに取り付けると、開放させた状態の蓋６に飲料容器Ａを置くことで、灰皿３と飲料容器Ａの物置きを両用でき、棚台２に置き場所がほとんど無い場合に有用である。
【００１６】
図５，６に示すのは実施例１の他の例である。図５は実施例１の他の例の蓋の分解斜視図、図６は実施例１の他の例の蓋の回動方向を示す平面図である。図５に示すヒンジ７は、固定板７ｂの取付ネジ７ｄ側を肉厚に形成し、その固定板７ｂをベース板７ａから張り出させて取付ネジ７ｄで棚台２に直接固定している。ベース板７ａはネジ７ｃのみで固定するが、灰皿３に密接しているから、蓋６の回動時に動くことはない。この構成により、図６（ａ）〜（ｃ）に示すように、ヒンジ７の取り付け向きを変えることなく、蓋６が遊技機１側と手前側いずれの方向にも回動できる。その他、符号、構成、作用効果は実施例１と同じである。
【００１７】
図７に示すのは実施例１の他の例である。図７は実施例１の他の例の蓋の斜視図である。図中、６ａは支持枠である。図７に示す例では、蓋６の外周に高さの低い環状の支持枠６ａを設けている。この構成により、蓋６に飲料容器Ａを置いた際、飲料容器Ａの滑り落ちが防止され、こぼれても支持枠６ａで塞き止めて棚台２に流れ難くなる。その他、符号、構成、作用効果は実施例１と同じである。
【００１８】
（実施例２）図８，９に示す実施例２はスライド式の例である。図８は実施例２の蓋の分解斜視図、図９は実施例２の蓋の使用状態を示す説明図である。図中、８は蓋、９はガイド部材、９ａはベース体、９ｂはガイド部、９ｃは固定体、９ｄは取付ネジである。
【００１９】
図８に示すように、蓋８は灰皿３の開口より大きい寸法の四角形板で、上面は平坦に形成されている。ガイド部材９は、左右にガイド部９ｂを備えた枠状のベース体９ａと固定体９ｃで構成されている。このベース体９ａを灰皿３を囲むように配置して蓋８の両端をガイド部９ｂに配置し、その上面に固定体９ｃを重ね合わせて取付ネジ９ｄで棚台２に対してネジ止めしている。この構成により、蓋８を前後方向にスライドできるようになっている。また、ガイド部材９は棚台２に対して取り付けるから、既設の灰皿３はそのまま使用できる。
【００２０】
喫煙する場合は、図９に示すように、蓋８を開放させて灰皿３を使用する。このとき、蓋８は水平にスライドするから、上方に障害物があっても干渉しない。飲料容器Ａを置く場合は、蓋８を閉塞させてその上面に置く。その際、ガイド部材９が支持枠となり、飲料容器Ａの滑り落ちが防止される。ガイド部材９の取り付け向きは左右方向や前後方向いずれでもよい。その他、符号、構成、作用効果は実施例１と同じである。
【産業上の利用可能性】
【００２１】
本発明の技術は、灰皿の上方に障害物がある場合に有用である。
【符号の説明】
【００２２】
１  遊技機
２  棚台
３  灰皿
４  玉箱
４ａ  搬出ライン
５  吸殻回収装置
６  蓋
６ａ  支持枠
７  ヒンジ
７ａ  ベース板
７ｂ  固定板
７ｃ  ネジ（軸）
７ｄ  取付ネジ
８  蓋
９  ガイド部材
９ａ  ベース体
９ｂ  ガイド部
９ｃ  固定体
９ｄ  取付ネジ
１１  遊技機
１２  棚台
１３  灰皿
１４  玉箱
１４ａ  搬出ライン
１５  吸殻回収装置
１６  蓋
Ａ  飲料容器
Ｔ  吸殻
【図１】
2012170572.tif 000003
【図２】
2012170572.tif 000004
【図３】
2012170572.tif 000005
【図４】
2012170572.tif 000006
【図５】
2012170572.tif 000007
【図６】
2012170572.tif 000008
【図７】
2012170572.tif 000009
【図８】
2012170572.tif 000010
【図９】
2012170572.tif 000011
【図１０】
2012170572.tif 000012